(57)【要約】【課題】設置する場所の様々な距離や形状に対応できる融雪道ユニットを提供する。【解決手段】融雪道ユニット１０は、水が流れる傾斜した路面２２を有する路面部２０と、この路面２２に散水する散水機３０とを備えている。路面部２０は、ステンレスや硬化樹脂から作製される。路面２２は、幅方向の中央部が最も高くなるように緩やかに湾曲しており、この上を人が歩く。また、図では、路面２２は平滑な面になっているが、滑り防止用の凹凸が形成された路面としてもよい。路面部２０のうち路面２２の下流側（路面２２での水の流れの下流側）には水収集桶２４が配置されている。この水収集桶２４には、路面２２に散水されて流れた水が収集される。ここでは、路面部２０と水収集桶２４を一体として作製したが、これらを別々に作製して組み合わせてもよい。【選択図】図３
2008266927.tif 000002
【特許請求の範囲】
【請求項１】
水が流れる傾斜した路面を有する路面部と、
前記路面に散水する散水機と、
前記路面部のうち前記路面の下流側に配置された、前記路面を流れた水が収集される水収集桶と、
前記水収集桶に収集された水を前記散水機に供給して該水を循環させる水循環手段とを備えたことを特徴とする融雪道ユニット。
【請求項２】
前記路面は、滑り防止用の凹凸が形成されたものであることを特徴とする請求項１に記載の融雪道ユニット。
【請求項３】
前記路面に進入しようとする人を検知する検知センサを備え、
前記散水機は、該検知センサが人を検知したときは散水を停止するものであることを特徴とする請求項１又は２に記載の融雪道ユニット。
【請求項４】
前記路面に散水された水が外部に流出することを防止する水流出防止溝を備えたことを特徴とする請求項１、２、又は３に記載の融雪道ユニット。
【請求項５】
複数の前記路面部は、互いに接続できるものであることを特徴とする請求項１から４までのうちのいずれか一項に記載の融雪道ユニット。
【発明の詳細な説明】
【技術分野】
【０００１】
本発明は、地上に設置されて雪を融かす融雪道ユニットに関する。
【背景技術】
【０００２】
積もった雪を除去する技術が数多く知られている。これらの技術のなかには、除雪作業によって路肩に積まれた雪が融けて道路に流入することを防止する技術がある（例えば、特許文献１参照。）。また、道路に発熱体を埋設して雪を融かす技術もある（例えば、特許文献２参照。）。
【特許文献１】特開２００６−２９１６６９号公報
【特許文献２】特開２００６−３２８７４７号公報
【発明の開示】
【発明が解決しようとする課題】
【０００３】
上記したいずれの技術も大掛かりな機構や装置となって費用もかかるので、上記の技術に係る機構や装置を例えば私有地に設置することは困難である。しかし、自宅の玄関から公道までの間のような私有地に積もった雪は個人が除雪することが多い。また、このような私有地は、その距離（長さ）や形状が様々である。
【０００４】
本発明は、上記事情に鑑み、設置する場所の様々な距離や形状に対応できる融雪道ユニットを提供することを目的とする。
【課題を解決するための手段】
【０００５】
上記目的を達成するための本発明の融雪道ユニットは、
（１）水が流れる傾斜した路面を有する路面部と、
（２）前記路面に散水する散水機と、
（３）前記路面部のうち前記路面の下流側に配置された、前記路面を流れた水が収集される水収集桶と、
（４）前記水収集桶に収集された水を前記散水機に供給して該水を循環させる水循環手段とを備えたことを特徴とするものである。
【０００６】
ここで、
（５）前記路面は、滑り防止用の凹凸が形成されたものであってもよい。
【０００７】
さらに、
（６）前記路面に進入しようとする人を検知する検知センサを備え、
（７）前記散水機は、該検知センサが人を検知したときは散水を停止するものであってもよい。
【０００８】
さらにまた、
（８）前記路面に散水された水が外部に流出することを防止する水流出防止溝を備えてもよい。
【０００９】
さらにまた、
（９）複数の前記路面部は、互いに接続できるものであってもよい。
【発明の効果】
【００１０】
本発明によれば、例えば自宅の玄関から公道までの間に路面部を設置して、その路面に散水機で散水することにより、この路面に降った雪（積もりそうな雪）を融かすことができる。このため、自宅の玄関から公道までの間には雪が積もらないので、除雪作業をしなくても滑ることなく安全に歩ける。また、散水機からの散水で融けた雪は水収集桶に収集されて、再び、散水機から散水されることとなるので、散水機に水を補充する必要は無い。さらに、この融雪道ユニットを設置する場所に合わせて路面部などの形状を適宜に作製することにより、様々な距離や形状の土地に対応できる融雪道ユニットが得られる。
【発明を実施するための最良の形態】
【００１１】
本発明は、例えば玄関から公道までに設置される融雪道ユニットに実現された。
【実施例１】
【００１２】
図１と図２を参照して、本発明の融雪道ユニットの一例を説明する。
【００１３】
図１（ａ）は、本発明の融雪道ユニットの一例を示す斜視図であり、（ｂ）は、水流出防止溝を示す斜視図であり、（ｃ）は、散水機の他の例を示す正面図である。図２（ａ）は、接続部を備えたタイプの融雪道ユニットを示す斜視図であり、（ｂ）は、接続された部分を示す断面図である。
【００１４】
融雪道ユニット１０は、水が流れる傾斜した路面２２を有する路面部２０と、この路面２２に散水する散水機３０とを備えている。路面部２０は、ステンレスや硬化樹脂から作製される。路面２２は、幅方向（矢印Ａ方向）の中央部が最も高くなるように緩やかに湾曲しており、この上を人が歩く。また、図では、路面２２は平滑な面になっているが、滑り防止用の凹凸が形成された路面としてもよい。路面部２０のうち路面２２の下流側（路面２２における水の流れの下流側）には水収集桶２４が配置されている。この水収集桶２４には、路面２２に散水されて流れた水が収集される。ここでは、路面部２０と水収集桶２４を一体として作製したが、これらを別々に作製して組み合わせてもよい。
【００１５】
上記のように路面２２は、その幅方向中央部が最も高くなっているので、路面２２の幅方向両端側にそれぞれ水収集桶２４が配置されている。水収集桶２４の長手方向（矢印Ｂ方向）中央部には、散水機３０が配置されている。また、水収集桶２４の中には、水が流れる水流パイプ４０が配置されており、水流パイプ４０には散水機３０が接続されている。水流パイプ４０は水収集桶２４の中をその長手方向に延びており、水流パイプ４０の先端部にはポンプ５０（本発明にいう水循環手段の一例であり、図４参照）が接続されている。このポンプ５０は、水収集桶２４に流れ込んできた水を水流パイプ４０に流して散水機３０に供給する。散水機３０から散水された水は路面２２を流れて水収集桶２４に流れ込んでくるので、水は循環することとなる。このように散水機３０は、水収集桶２４に貯まっている水を路面２２に散水する。このため、融雪道ユニット１０を始動するとき（雪が降り始めたとき）に、水収集桶２４に適量の水を入れておけば、その後は、散水によって融けた雪が水となって水収集桶２４に流れ込むので、水を補給する必要はない。
【００１６】
また、融雪道ユニット１０は、図１（ｂ）に示すように、路面２２に散水された水が外部に流出することを防止する水流出防止溝６０を備えている。この水流出防止溝６０は、融雪道ユニット１０が設置された場所に隣接する場所（例えば、公道）などに水が流出することを防止する。水流出防止溝６０は、例えば図４に示すように、融雪道ユニット１０に隣接する部分に取り付けられる。水流出防止溝６０の幅方向両端部６２は水収集桶２４につながれて、水流出防止溝６０に流れ込んできた水はその幅方向両端部６２を通って水収集桶２４だけに流れ込むようになっている。また、水流出防止溝６０の上面はステンレス製などの硬質カバー６４で塞がれており、この硬質カバー６４の上を人が歩けるようになっている。
【００１７】
上記した散水機３０は、図１（ａ）に示すように柱状のものであるが、これに代えて、図１（ｃ）に示すように水収集桶２４の上面にほぼ一致する高さの散水機３２を使用してもよい。
【００１８】
上記した融雪道ユニット１０の長さは予め決められている。従って、設置する場所に応じて、融雪道ユニット１０を複数用意してこれらを互いに接続する。融雪道ユニット１０には、図２に示すように、防水リベット２６を差し込むリベット孔２８が形成された路面部２０−２を備えたタイプもある。このタイプでは、複数の融雪道ユニット１０を互いにつなぐことができ、この場合、図２（ｂ）に示すように、２つの路面部２０−２の長手方向一端部と長手方向他端部との間にパッキン（低温でも硬化せずに柔軟性のあるシリコン系パッキンが好ましい）７０を挟み込んでこれらを重ね、リベット孔２８に防水リベット２６を差し込んで、防水シール７２を施す。このようにすることにより、複数の融雪道ユニット１０を容易に接続でき（つなげられ）、距離の長い場所にでも融雪道ユニット１０を設置できる。また、曲がっている場所に融雪道ユニット１０を設置するときは、路面部２０の形状を予め曲がったものとしておく。
【００１９】
図３と図４を参照して、玄関先から公道までの間に設置された複数の融雪道ユニットを説明する。
【００２０】
図３（ａ）は、玄関先から公道までの間に設置された複数の融雪道ユニットを示す斜視図であり、（ｂ）は、水の流れを模式的に示す正面図である。図４は、図３の融雪道ユニットの先端部分を拡大して示す斜視図であり、水収集桶の一部は破断して示す。これらの図では、図１と図２に示す構成要素と同じ構成要素には同じ符号が付されている。
【００２１】
上述したように複数の融雪道ユニット１０を用意しておき路面部２０−２をつなぎ合わせることにより、例えば玄関９０から公道９２までの間に複数の融雪道ユニット１０を設置できる。このように設置した場合、水流出防止溝６０を玄関９０との間、及び公道９２との間に設置する。これにより、散水機３０から散かれた水が玄関９０の中や公道９２に流れ込まない。また、２つの水流出防止溝６０の幅方向端部それぞれに、人を検知する検知センサ８１，８２を配置しておく。この検知センサ８１，８２によって、路面２２に進入しようとする人が検知されたときは、一定の時間だけ散水機３０を停止させるようにしておく。これにより人が濡れることを防止できる。
【００２２】
上述したように、設置する場所に応じた種々の形状の路面部２０（又は２０−２）を備えた融雪道ユニット１０を使用することにより、比較的低コストで除雪作業を不要にできる。
【図面の簡単な説明】
【００２３】
【図１】（ａ）は、本発明の融雪道ユニットの一例を示す斜視図であり、（ｂ）は、水流出防止溝を示す斜視図であり、（ｃ）は、散水機の他の例を示す正面図である。
【図２】（ａ）は、接続部を示す斜視図であり、（ｂ）は、接続された部分を示す断面図である。
【図３】（ａ）は、玄関先から公道までの間に設置された複数の融雪道ユニットを示す斜視図であり、（ｂ）は、水の流れを模式的に示す正面図である。
【図４】図３の融雪道ユニットの先端部分を拡大して示す斜視図であり、水収集桶の一部は破断して示す。
【符号の説明】
【００２４】
１０  融雪道ユニット
２０  路面部
２２  路面
２４  水収集桶
３０  散水機
６０  水流出防止溝
８１，８２  検知センサ
【図１】
2008266927.tif 000003
【図２】
2008266927.tif 000004
【図３】
2008266927.tif 000005
【図４】
2008266927.tif 000006